(57)【特許請求の範囲】
【請求項１】
固定子と、固定子の外周を取り囲むように覆設された回転子と、を含む弾性保護套付きの回転機構において、
前記回転子の外周には外部の機構に動力を伝達する弾性保護套が覆設され、
前記弾性保護套は、リング状であり、内周面を前記回転子の外周面に当接させた状態で取り付けられており、
前記弾性保護套の前記内周面は、前記回転子の外周面よりも幅が広く、当接する前記回転子の両端から飛び出しており、
前記弾性保護套は、前記内周面の両端から外側に向けて階段状に拡幅した階段構造を有している、
ことを特徴とする弾性保護套付きの回転機構。
【請求項２】
前記固定子が固定子軸の外周に設けられ、前記固定子軸の外周に回転子支持枠が覆設され、前記回転子支持枠と前記固定子軸とは回転可能に接続し、前記回転子は前記回転子支持枠に接続することを特徴とする請求項１に記載の弾性保護套付きの回転機構。
【請求項３】
間隔を空けて配置された複数の締結具によって、前記弾性保護套は、内周面を前記回転子の外周面に当接させた状態で取り付けられていることを特徴とする請求項１又は２に記載の弾性保護套付きの回転機構。
【請求項４】
固定子と、固定子の外周を取り囲むように覆設された回転子と、を含む弾性保護套付きの回転機構において、
前記回転子の外周には外部の機構に動力を伝達する弾性保護套が覆設され、
前記弾性保護套は、リング状であり、内周面を前記回転子の外周面に当接させた状態で取り付けられており、
前記弾性保護套の前記内周面は、前記回転子の外周面よりも幅が広く、当接する前記回転子の両端から飛び出しており、
前記弾性保護套は、前記内周面の両端から外側に向けて階段状に拡幅した階段構造を有し、
前記固定子が固定子軸の外周に設けられ、前記固定子軸の外周に回転子支持枠が覆設され、前記回転子支持枠と前記固定子軸とは回転可能に接続し、前記回転子は前記回転子支持枠に接続し、
前記回転子支持枠の一端は前記固定子軸に回転可能に接続し、他端には前記弾性保護套の前記階段構造まで延伸し該階段構造を押圧する下押さえ板が形成されている、
ことを特徴とする弾性保護套付きの回転機構。
【請求項５】
前記下押さえ板は、前記階段構造に合致するように階段状に形成されていることを特徴とする請求項４に記載の弾性保護套付きの回転機構。
【発明の詳細な説明】
【技術分野】
【０００１】
本発明は、回転機構の技術分野に関し、特に、弾性保護套付きの回転機構に関する。
【背景技術】
【０００２】
回転機構は、現在の機械設備において不可欠な重要構成部分であり、例えば、軸受、ランナー及びタイヤ等がある。
【０００３】
従来技術における回転機構は、作動の要求に応じて、作動過程で連続的に又は間断的に回転する必要があり、例えば摩擦伝動等の場合、回転機構の外周で他の部材と合わせる必要がある。従来の回転機構は、外周に保護構造が全くなく、他の部材と全体を、直接又は間接に組合わせる。このことにより、径方向に比較的大きい衝撃を受け、回転機構を壊しやすい。そして、作動の環境が、湿りやすい、或いは腐食性の気体や液体に直接接触して腐食されやすいと、回転機構の作動寿命に影響する。また、回転機構の騒音が一貫してよく見られ且つ技術者を当惑させる問題であり、現在の回転機構には、過大な騒音の問題が存在する。
【発明の概要】
【発明が解決しようとする課題】
【０００４】
本発明の目的は、従来技術による回転機構が動力を他の機構又は装置に伝送する場合に、径方向に過大な衝撃を受け、腐食されやすくて壊れやすく、また過大な騒音の問題を解決するために、弾性保護套付きの回転機構を提供することにある。
【課題を解決するための手段】
【０００５】
本発明は、固定子と、固定子の外周を取り囲むように覆設された回転子と、を含む弾性保護套付きの回転機構において、前記回転子の外周には弾性保護套が覆設され、前記弾性保護套はリング状で、前記回転子の外周を取り囲むように配置されている、弾性保護套付きの回転機構によって達成される。
【０００６】
更に、前記弾性保護套の内周面は前記回転子の外周に当接し、その両端は外へ延伸し、外に拡がった形状となり、かつ、前記両端の側面に段階構造が形成されている。
【０００７】
更に、前記弾性保護套の両端の側面の高さは回転子の高さより大きい。
【０００８】
更に、前記固定子が前記固定子軸の外周に覆設され、前記固定子軸の外周に回転子支持枠が覆設され、前記回転子支持枠と前記固定子軸とは回転可能に接続し、前記回転子は前記回転子支持枠に接続する。
【０００９】
更に、前記回転子の外周に、間隔を空けて配置された複数の締結具が覆設され、前記弾性保護套の内周面が前記締結具に当接する。
【００１０】
更に、前記回転子の上端面には制動枠が設けられ、前記制動枠は前記回転子の上端面に沿って取り囲むように延伸して配置されている。
【００１１】
更に、前記回転子の上端面には上固定枠が設けられ、前記上固定枠は前記回転子の上端面に沿って取り囲むように延伸して配置され、その一端は前記制動枠に接続し、他端は前記弾性保護套の外端へ延伸し、前記弾性保護套の外端の上側面の段階構造を押圧する上押さえ板を形成する。
【００１２】
更に、前記上押さえ板は前記弾性保護套の外端の上側面の段階構造を押圧し、かつ、前記段階構造の外にまで延伸する。
【００１３】
更に、前記回転子支持枠の一端は、前記固定子軸に回転可能に接続し、他端は前記弾性保護套の外端へ延伸し、前記弾性保護套の外端の下側面の段階構造を押圧する下押さえ板を形成する。
【００１４】
更に、前記下押さえ板は、前記弾性保護套の外端の下側面の段階構造を押圧し、かつ、前記段階構造の外にまで延伸する。
【発明の効果】
【００１５】
従来技術に比べ、本発明に係る回転機構は、その回転子の外周に弾性変形の効果を有する弾性保護套が覆設されるため、当該回転機構により動力を他の機構又は装置に供給した時に、回転子の径方向の衝撃について外力を低減することができ、併せて、回転子の外周を保護し、回転子機構の使用寿命を大幅に延ばす。また、弾性保護套は、回転子機構から発生した騒音の大部分を吸収し、回転機構に高い要求がある場合に好適に用いられるようにすることができる。
【図面の簡単な説明】
【００１６】
【図１】本発明の実施例に係る弾性保護套付きの回転機構の縦切断面の概略図である。
【図２】図１に示すＡ点を拡大した概略図である。
【図３】本発明の実施例に係る弾性保護套付きの回転機構の一部の切断面の概略図である。
【図４】図３に示すＢ点を拡大した概略図である。
【発明を実施するための形態】
【００１７】
本発明の目的、技術的解決手段及び利点をより明らかにするために、以下、図面及び実施例に合わせて本発明をより詳細に説明する。ここで説明される具体的な実施例は本発明を解釈するためのものに過ぎず、本発明を限定するためのものではないことを理解すべきである。
【００１８】
以下、具体的な実施例に合わせて本発明の実現について詳細に説明する。
【００１９】
図１〜４は、本発明に係る好ましい実施例を示す。
【００２０】
図１〜４を参照されたい。本実施例に係る回転機構１は、様々な部品として、様々な機械設備に適用されることができる。例えば、動力伝達装置、転輪等として使用することができ、或いはタイヤ等として使用することもできる。回転効果が要求される部材であれば、本実施例が提供する回転機構１は全てに適用することができる。
【００２１】
回転機構１は、固定子１０２と、回転子１０３と、を含む。回転子１０３は固定子１０２の外周を取り囲むように覆設され、その内側と固定子１０２の外側との間には隙間が有り、固定子１０２に対して円周回転することができる。回転子１０３の外周上には、取り囲むように覆設された弾性保護套１０４が設けられ、該弾性保護套１０４は回転子１０３の外に突出して配置される。
【００２２】
上記に係る回転機構１は、回転子１０３の外周に覆設される弾性保護套１０４を有する。弾性保護套１０４は、外力の作用を受けると変形するが、外力が取り除かれると、その形状が本来とほぼ同じような形状に回復する。これにより、回転機構１の作動過程中、外力の径方向の衝撃を低減させることができる。かつ、弾性保護套１０４が回転子１０３の外周を取り囲むように覆設され、回転子１０３の外周に対し保護し、湿り、或いは直接腐食性その他の液体との接触を避け、それにより、回転機構１に対する保護作用を発揮し、回転機構１の使用寿命を大いに延伸する。また、回転機構１から回転中に発生する所の騒音の大部分は弾性保護套１０４により吸収される。それにより、その騒音を大幅に低下させて、回転機構１を様々な高い要求に際し適用されて使用し得る。
【００２３】
なお、回転機構１は、他の部材と合わせる必要がある場合、直接弾性保護套１０４を接触させて利用でき、回転機構１の周方向の摩擦力を大幅に向上させることができる。例えば、回転機構１を動力伝達部材として使用する場合、外部の弾性保護套１０４によって他の部材と接続するので、回転子１０３が外部の他の部材と直接接続する場合よりもよい効果があり、その周方向や軸方向の摩擦力が大幅に増大する。
【００２４】
本実施例において、弾性保護套１０４は、閉じたリング状であり、つまり、回転子１０３の外周を連続して取り囲むように覆設されている。このように、弾性保護套１０４がドーナツ形で、その縦断面の外形と内形は多角形である。当然、この多角形の具体的な形状は実際の要求に基づいて定めることもできる。
【００２５】
他の実施例として、弾性保護套１０４は、断続したリング状であってもよい。即ち、回転子１０３の外周を不連続に取り囲む覆いが設けられている。具体的には、実際の要求に応じて定め、設置することができる。
【００２６】
弾性保護套１０４の内表面は、回転子１０３の外周に直接当接し、その外端の両側はそれぞれ外へ延伸し、外に拡がる形状となっている。つまり内端と外端との間は段階構造を形成し、且つ外端の両側の高さは回転子１０３の高さより大きい。これにより、外周の両側が回転子１０３の両端の外にまで延伸している。これにより、回転子１０３の両端を保護することができ、回転子１０３の両端と外部部材の衝突の発生を避けることができる。
【００２７】
弾性保護套１０４の摩擦性能を向上させるために、その外表面に凹凸構造１００が設けられている。従って、弾性保護套１０４の外表面と他の部材とが組合わさる場合、この外表面の凹凸構造１００が他の部材との摩擦力を大幅に増加させる。
【００２８】
本実施例において、固定子１０２が固定子軸１０１の外周に覆設される。固定子軸１０１の外周に、更に、回転子支持枠１０６が覆設される。回転子支持枠１０６と固定子軸１０１とが軸受１０８によって接続することで、回転子支持枠１０６は固定子軸１０１に対して回転可能となっている。勿論、ボール等の転動部材によって接続することができる。ただ、回転子支持枠１０６を固定子軸１０１に対して回転できることを実現する必要があり、回転子支持枠１０６と固定子軸１０１との間を回転可能に接続して実現する。
【００２９】
回転子１０３は、内側と固定子１０２の外側の間に上記の隙間が形成され、固定子１０２の外周に覆設されるように回転子支持枠１０６に接続され、回転子支持枠１０６が固定子１０２に対して回転することに随い、回転子は固定子１０２に対して回転する。
【００３０】
回転子１０３の外周には、間隔をあけて配置された複数の締結具１０７を有し、複数の締結具１０７は回転子１０３の外周を取り囲むように配置される。勿論、非均等に取り囲み配置することもできる。即ち、隣接する２つの締結具１０７の間の隙間は一致させ、不均等に取り囲んで配置されることもでき、具体的に実際の要求に応じて定めることができる。
【００３１】
弾性保護套１０４は固定子１０２の外周を取り囲むように覆設され、その内表面は締結具１０７に当接している。そのため、回転子１０３が回転すると、締結具１０７も回転し、弾性保護套１０４もそれに従って固定子１０２に対して回転する。
【００３２】
本実施例において、回転子１０３の上端面には制動枠１０９が設けられている。この制動枠１０９は、回転子１０３の上端面に沿って取り囲むように延伸して配置され、リング状となり、そして回転子１０３に固定接続し、回転子１０３の回転に伴って回転する。
【００３３】
弾性保護套１０４を更に堅固にするために、回転子１０３との接続を堅固とし得る本実施例において、回転子１０３の上端面には上固定枠１０５が設けられる。それは回転子１０３の上端面を取り囲むように延伸して配置され、一端が制動枠１０９に接続されている。勿論、ネジ等の締結具１０７によって接続することができ、又は、制動枠１０９と固定接続可能な他の様々な接続形態によって接続することができる。上固定枠１０５の他端が弾性保護套１０４の外端へ延伸して、上押さえ板１０５２を形成する。この上押さえ板１０５２が弾性保護套１０４の外端の上側面の段階構造を押圧する。したがって、上側面から弾性保護套１０４は固定される。
【００３４】
具体的には、上押さえ板１０５２が弾性保護套１０４の外端の上側面の段階構造を押圧し、かつ、段階構造外まで延伸する。これにより、弾性保護套１０４の上側面に対する押圧を増加させることができる。勿論、それに応じて、上押さえ板１０５２には段階構造に組み合わせる構造が形成されており、弾性保護套１０４の上側面と当接して接続することが確保されている。
【００３５】
本実施例において、上記の回転子支持枠１０６の一端は、固定子軸１０１に回転可能に接続し、他端は弾性保護套１０４の外端へ延伸して下押さえ板１０６１を形成する。この下押さえ板１０６１は弾性保護套１０４の外端の下側面の段階構造に押し当てられており、下側面から弾性保護套１０４を固定する。
【００３６】
具体的には、下押さえ板１０６１は弾性保護套１０４の外端の下側面の段階構造を押圧し、かつ、段階構造の外まで延伸する。これにより、弾性保護套１０４の下側面に対する押圧を増加させることができる。勿論、それに応じて、下押さえ板１０６１には段階構造に組み合わせる構造が形成され、弾性保護套１０４の下側面と当接して接続することが確保されている。
【００３７】
このように、弾性保護套１０４の内表面は、回転子１０３の外周の締結具１０７に当接し、その上下の側面はそれぞれが上押さえ板１０５２と下押さえ板１０６１により当接され、これにより複数の方向から弾性保護套１０４を固定して、弾性保護套１０４を回転子１０３の外周に堅固に接続する。
【００３８】
本実施例において、弾性保護套１０４の内表面と回転子１０３の外周とは、直接粘着方法によって接続することができ、直接当接するこもできる。勿論、回転子１０３の外周に打ち込んで、弾性保護套１０４を形成してもよい。様々な接続方法があるが、具体的に実際の要求に応じて定めることができる。
【００３９】
本実施例に係る回転機構１は、様々な部材として使用されることができる。ただ回転の効果が必要とされる限り、この回転機構１を採用できる。勿論、回転子１０３と固定子１０２とが一体的に形成され場合、つまり固定子軸１０１が様々な形態で車台に固定されている場合、回転機構１の回転子１０３と固定子１０２とが一緒にスマートなホイールを形成し、全体の回転機構１の中の弾性保護套１０４がタイヤを形成する。
【００４０】
上記は本発明の好ましい実施例に過ぎず、本発明を制限するためのものではなく、本発明の精神及び原則の範囲においてなされたあらゆる変更、等価取替及び改良等は、本発明の保護範囲に含まれるべきである。
【図１】
0006412929.tif 000002
【図２】
0006412929.tif 000003
【図３】
0006412929.tif 000004
【図４】
0006412929.tif 000005